(57)【要約】【課題】浴室を手間なく短時間でリフォームすることができるユニットバスの支持部材を提供する。【解決手段】ユニットバスの支持部材Ｓは、建築物の外壁躯体６を支持する基礎７の屋内側の側面に固定される受け部材５０と、この受け部材５０に取り付けられ、ユニットバスを支持する複数の支持金具１０，２０とを備えている。【選択図】図４
2018025028.tif 000002
【特許請求の範囲】
【請求項１】
建築物の外壁躯体を支持する基礎の屋内側の側面に固定される受け部材と、
この受け部材に取り付けられ、ユニットバスを支持する複数の支持金具と、
を備えていることを特徴とするユニットバスの支持部材。
【請求項２】
前記受け部材は、前記基礎の屋内側の側面に固定された状態において、水平方向の長さが、前記受け部材に取り付けられた前記支持金具の左右幅よりも長いことを特徴とする請求項１記載のユニットバスの支持部材。
【請求項３】
前記受け部材は、前記基礎の屋内側の側面に固定された状態において、前記基礎の屋内側の側面に沿って水平方向に延びた上面を有しており、
前記支持金具は、前記基礎の屋内側の側面に固定された前記受け部材よりも上側に広がった前記基礎の屋内側の側面に当接する取付部と、この取付部の下端縁に連続し、前記受け部材の前記上面に当接して水平方向に延びた支持部とを有していることを特徴とする請求項１又は２記載のユニットバスの支持部材。
【請求項４】
前記受け部材は、前記基礎の屋内側の側面に固定された状態において、前記基礎の屋内側の側面に沿って水平方向に延びた上面と、上面の前端縁から鉛直下方向に広がった前面とを有しており、
前記支持金具は、前記基礎の屋内側の側面に固定された前記受け部材の上面に当接する第１取付部と、この第１取付部の前端縁に連続して鉛直下方に延び、前記受け部材の前面に当接する第２取付部と、この第２取付部から前方に水平方向に延びた支持部とを有していることを特徴とする請求項１又は２記載のユニットバスの支持部材。
【請求項５】
建築物の外壁躯体を支持する基礎に沿って並んで配置された洗い場と浴槽とを備えており、
前記洗い場は請求項３記載の支持部材で支持され、前記浴槽は請求項４記載の支持部材で支持されていることを特徴とするユニットバス。
【発明の詳細な説明】
【技術分野】
【０００１】
本発明は支持部材及びこの支持部材で支持されたユニットバスに関するものである。
【背景技術】
【０００２】
特許文献１はユニットバスを吊下げ状に支持する従来の支持部材である支持金具を示している。この支持金具は土台に取り付けられる。土台は基礎と外壁躯体との間に位置し、建築物の荷重を基礎に伝えるものである。この支持金具は、第１取付部、第２取付部、及び支持部を有している。第１取付部、第２取付部、及び支持部は一枚の金属板を９０度ずつ階段状に屈曲させて形成されている。この支持金具は、第１取付部を土台の上面に当接し、さらに第２取付部を土台の前面に当接した状態で土台に取り付けられる。土台に取り付けられた支持金具の支持部は基礎から屋内側に水平に延びる。この支持金具は支持部にユニットバスのボルト脚を載置してユニットバスを吊下げ状に支持することができる。
【先行技術文献】
【特許文献】
【０００３】
【特許文献１】特開平１０−１６８９７０号公報
【発明の概要】
【発明が解決しようとする課題】
【０００４】
しかし、特許文献１の支持部材は、浴室をリフォームする際に土台（基礎）に新たに取り付けようとする箇所に柱があったり、土台（基礎）の幅が狭かったり、土台（基礎）の上面と側面の角部が径年劣化によって元の外形をとどめていなかったりすると取り付けることができない。
また、浴室をリフォームする際、ユニットバスを吊下げ状に支持することができないと、ユニットバスを支持脚で設置するようにしているが、床下が土である場合、支持脚を支持するためにコンクリートの打設が必要になり、コンクリートの打設と養生に時間がかかり、工期が長くなる。
【０００５】
本発明は、上記従来の実情に鑑みてなされたものであって、浴室を手間なく短時間でリフォームすることができるユニットバスの支持部材及びこの支持部材で支持されたユニットバスを提供することを解決すべき課題としている。
【課題を解決するための手段】
【０００６】
本発明のユニットバスの支持部材は、建築物の外壁躯体を支持する基礎の屋内側の側面に固定される受け部材と、
この受け部材に取り付けられ、ユニットバスを支持する複数の支持金具と、
を備えていることを特徴とする。
【０００７】
このユニットバスの支持部材は、建築物の外壁躯体を支持する基礎の屋内側の側面に受け部材を固定し、この受け部材にユニットバスを支持する支持金具を取り付けるため、浴室をリフォームする際、基礎の上側に外壁躯体や柱が支持された状態（基礎と外壁躯体との間に土台がある場合もない場合も含む）のまま、支持金具を容易に固定することができる。また、浴室の床下が土である場合、この支持部材を利用してユニットバスを支持すれば、ユニットバスを支持するためにコンクリートを打設して養生させる必要がない。
【０００８】
したがって、本発明のユニットバスの支持部材は浴室を手間なく短時間でリフォームすることができる。
【０００９】
また、このユニットバスの支持部材は、複数の支持金具を適切な高さに容易に固定することができる。つまり、複数の支持金具は、受け部材に取り付けられるため、受け部材に対して所定の位置に取り付けることによって、複数の支持金具の夫々の取付け高さを容易に合わせることができる。このように、このユニットバスの支持部材は、受け部材を適切な高さに固定すれば、複数の支持金具を適切な高さに容易に取り付けることができる。
【図面の簡単な説明】
【００１０】
【図１】実施例１のユニットバスの支持構造を示す平面透視図である。
【図２】図１の矢視Ｘ−Ｘ断面図である。
【図３】図１の矢視Ｙ−Ｙ断面図である。
【図４】実施例１の支持部材と架台フレームとを示す斜視図である。
【図５】実施例１の第１支持金具の取付状態を示す斜視図である。
【図６】実施例１の第２支持金具の取付状態を示す斜視図である。
【図７】実施例１の基礎側の支持部材と支持された架台フレームを示す正面図である。
【図８】実施例１の第３支持金具の取付状態を示す斜視図である。
【図９】実施例１の大引きに取り付けられた第３支持金具と支持された架台フレームを示す正面図である。
【図１０】洗い場載置部側の支持状態を示す側面図である。
【図１１】浴槽載置部側の支持状態を示す側面図である。
【発明を実施するための形態】
【００１１】
本発明における好ましい実施の形態を説明する。
【００１２】
本発明において、前記受け部材は、前記基礎の屋内側の側面に固定された状態において、水平方向の長さが、前記受け部材に取り付けられた前記支持金具の左右幅よりも長くし得る。この場合、受け部材が支持金具の左右幅より水平方向に長く延びているため、支持金具の取付位置を水平方向にずらすことができる。浴室のリフォームをする際、ユニットバスの設置位置は、建築物に設けられた窓、扉等の位置に合わせたり、敷設されている配管を避けたりする必要がある。この支持部材は、ユニットバスの設置位置に合わせて、支持金具の取付位置を水平方向に容易にずらすことができる。
【００１３】
本発明において、前記受け部材は、前記基礎の屋内側の側面に固定された状態において、前記基礎の屋内側の側面に沿って水平方向に延びた上面を有しており、前記支持金具は、前記基礎の屋内側の側面に固定された前記受け部材よりも上側に広がった前記基礎の屋内側の側面に当接する取付部と、この取付部の下端縁に連続し、前記受け部材の前記上面に当接して水平方向に延びた支持部とを有し得る。この場合、この支持部材は、支持金具の支持部が受け部材の上面に当接しているため、支持部に加えられた荷重を受け部材が支持する。また、この支持部材は、支持金具の支持部が基礎の屋内側の側面近傍（受け部材の上方）に位置しているため、基礎の屋内側の側面近傍でユニットバスの外縁部を支持することができる。
【００１４】
本発明において、前記受け部材は、前記基礎の屋内側の側面に固定された状態において、前記基礎の屋内側の側面に沿って水平方向に延びた上面と、上面の前端縁から鉛直下方向に広がった前面とを有しており、前記支持金具は、前記基礎の屋内側の側面に固定された前記受け部材の上面に当接する第１取付部と、この第１取付部の前端縁に連続して鉛直下方に延び、前記受け部材の前面に当接する第２取付部と、この第２取付部から前方に水平方向に延びた支持部とを有し得る。この場合、この支持部材は、第１取付部が受け部材の上面に当接しているため、支持部に加えられた荷重を受け部材が支持する。また、この支持部材は、受け部材の上面よりも低い位置に支持部が水平方向に延びているため、受け部材の上面よりも低い位置でユニットバスを支持することができる。
【００１５】
本発明のユニットバスは建築物の外壁躯体を支持する基礎に沿って並んで配置された洗い場と浴槽とを備えている。
洗い場は受け部材と支持金具とを備えた支持部材に支持されている。受け部材は、基礎の屋内側の側面に沿って水平方向に延びた上面を有し、基礎の屋内側の側面に固定されている。支持金具は取付部と支持部とを有している。取付部は基礎の屋内側の側面に固定された受け部材よりも上側に広がった基礎の屋内側の側面に当接している。支持部は、取付部の下端縁に連続し、受け部材の上面に当接して水平方向に延びている。
また、浴槽は受け部材と支持金具とを備えた支持部材に支持されている。受け部材は、基礎の屋内側の側面に沿って水平方向に延びた上面と、上面の前端縁から鉛直下方向に広がった前面とを有して基礎の屋内側の側面に固定されている。支持金具は、第１取付部、第２取付部、及び支持部を有している。第１取付部は基礎の屋内側の側面に固定された受け部材の上面に当接している。第２取付部は第１取付部の前端縁に連続して鉛直下方に延び、受け部材の前面に当接している。支持部は第２取付部から前方に水平方向に延びている。
この場合、洗い場を支持する支持部材は、基礎の屋内側の側面近傍においても洗い場を支持することができる。このため、このユニットバスは、洗い場の外周縁部が支持され、洗い場を安定させることができる。また、浴槽を支持する支持部材は受け部材の上面よりも低い位置で支持部が水平方向に延びている。このため、このユニットバスは浴槽の底部が洗い場の底部より低くても浴槽を安定して支持することができる。
【００１６】
次に、本発明の支持部材で支持されたユニットバスを具体化した実施例１について、図面を参照しつつ説明する。
【００１７】
＜実施例１＞
実施例１のユニットバスは、図１〜図４に示すように、洗い場１、浴槽３、及び架台フレーム５を備えている。このユニットバスは、浴室をリフォームする際に浴室の床下が土であった場合等、建築物の外壁躯体６を支持する基礎７と脱衣室の床８を支持する大引き９との間に吊り下げ状に架台フレーム５を配置し、この架台フレーム５上に洗い場１と浴槽３とを載置して施工される。洗い場１と浴槽３とは、建築物の外壁躯体６、及びこの外壁躯体６を支持する基礎７が伸びている方向に並んで配置される。
【００１８】
架台フレーム５は、図４に示すように、複数本の金属製の角パイプを連結して形成されている。この架台フレーム５は、洗い場１が載置される洗い場載置部１Ａと、浴槽３が載置される浴槽載置部３Ａとを有している。洗い場載置部１Ａは、外枠フレーム５Ａ、第１フレーム５Ｂ、一対の第２フレーム５Ｃ、及び第３フレーム５Ｄを有している。外枠フレーム５Ａは、建築物の外壁躯体６を支持する基礎７と脱衣室の床８を支持する大引き９との間に配置された状態で、基礎７と脱衣室の床８を支持する大引き９との間に伸びる辺が基礎７に平行に延びる辺よりも長い長方形状に形成されている。第１フレーム５Ｂは、浴槽載置部３Ａから離れた側で外枠フレーム５Ａの長辺に平行に延びており、外枠フレーム５Ａの短辺同士を連結している。一対の第２フレーム５Ｃは、外枠フレーム５Ａの短辺に平行に延びており、浴槽載置部３Ａ側の外枠フレーム５Ａの長辺と第１フレーム５Ｂとを連結している。第３フレーム５Ｄは、浴槽載置部３Ａから離れた側で外枠フレーム５Ａの長辺に平行に延びており、一対の第２フレーム５Ｃを連結している。
【００１９】
浴槽載置部３Ａは、一対の第４フレーム５Ｅ、第５フレーム５Ｆ、及び第６フレーム５Ｇを有している。一対の第４フレーム５Ｅは、洗い場載置部１Ａの外枠フレーム５Ａの浴槽載置部３Ａ側の長辺から下方向に延びた一対の連結フレーム５Ｈの下端部から一対の第２フレーム５Ｃの延長線上を洗い場載置部１Ａから離れる方向に延びている。第５フレーム５Ｆは、洗い場載置部１Ａの外枠フレーム５Ａの長辺に平行に延びており、一対の第４フレーム５Ｅの略中央部を連結している。第６フレーム５Ｇは、洗い場載置部１Ａの外枠フレーム５Ａの長辺に平行に延びており、一対の第４フレーム５Ｅの先端側を連結しつつ一対の第４フレーム５Ｅよりも外側に延びている。第６フレーム５Ｇは、第５フレーム５Ｆよりも長く、洗い場載置部１Ａの外枠フレーム５Ａの長辺の長さ、及び第１フレーム５Ｂの長さよりも短い。
【００２０】
この架台フレーム５は洗い場載置部１Ａの方が浴槽載置部３Ａよりも高い位置に形成されている。これは、洗い場１の底面よりも浴槽３の底面の方が低いためである。この架台フレーム５は、洗い場載置部１Ａの外枠フレーム５Ａの浴槽載置部３Ａ側の長辺の両端部、第１フレーム５Ｂの両端部、及び第６フレーム５Ｇの両端部の夫々にボルト脚５Ｊが下方に延びて取り付けられている。これら６本のボルト脚５Ｊは回転させることによって各フレーム５Ａ，５Ｂ，５Ｇから突出する長さを変化させることができる。つまり、これら６本のボルト脚５Ｊの長さを回転させて調整することによって、架台フレーム５の高さ及び水平を調整することができる。また、浴槽載置部３Ａの第６フレーム５Ｇの両端部に取り付けられたボルト脚５Ｊの間隔が、洗い場載置部１Ａの外枠フレーム５Ａの長辺の両端部に取り付けられたボルト脚５Ｊの間隔、及び第１フレーム５Ｂの両端部に取り付けられたボルト脚５Ｊの間隔より短い。これは、浴槽３にお湯が張られるため、洗い場１に比べて浴槽３を内側で支持した方が安定するためである。
【００２１】
架台フレーム５は、支持部材Ｓが建築物の外壁躯体６を支持する基礎７側を吊下げ状に支持し、第３支持金具３０が脱衣室の床８を支持する大引き９側を吊り下げ状に支持して配置される。
【００２２】
支持部材Ｓは、図４〜図７に示すように、１個の受け部材５０、２個の第１支持金具１０、及び１個の第２支持金具２０を備えている。
受け部材５０は基礎７に沿った長さが架台フレーム５よりも長い平板形状の木材である。この受け部材５０は、９本のアンカーボルトＢと接着剤によって、面積の広い一面を基礎７の屋内側の側面に当接させた状態に固定される。つまり、受け部材５０は、基礎７の屋内側の側面に固定された状態において、水平方向の長さが、受け部材５０に取り付けられた後述する第１支持金具１０及び第２支持金具２０の左右幅よりも長い。この受け部材５０は、基礎７の屋内側の側面に固定された状態において、上面が基礎７の屋内側の側面に沿って水平方向に延びており、前面が上面の前端縁から鉛直下方に広がっている。この受け部材５０は脱衣室の床面を基準にしたユニットバスのフロアレベルから所定の高さ分だけ低い位置に上面が位置するように固定される。
【００２３】
第１支持金具１０は、図５に示すように、金属製の平板材で形成されている。この第１支持金具１０は、取付部１１、支持部１３、垂下部１５、及び一対の補強部１７を有している。取付部１１は略正方形状である。取付部１１は、下端縁を基礎７の屋内側の側面に取り付けられた受け部材５０の上面に当接させつつ、受け部材５０よりも上側に広がる基礎７の屋内側の側面に背面を当接させた状態で、コンクリートねじＮ１で基礎７の屋内側の側面に複数個所で固定される。
【００２４】
支持部１３は、取付部１１の下端縁に連続しており、受け部材５０の上面に下面が当接して水平方向に受け部材５０の上面よりも前方に長く延びている。支持部１３は取付部１１から離れる方向に長い長方形状である。支持部１３は木ねじＮ２で受け部材５０の上面に複数個所で固定される。このように、第１支持金具１０は、受け部材５０の上面を基準にして、受け部材５０の上面と略同じ高さに支持部１３が設けられている。垂下部１５は、支持部１３の先端を略直角に下方に折り曲げ、上下方向よりも左右方向が長い長方形状である。
【００２５】
一対の補強部１７は、支持部１３の左右両端縁に連続して立ち上がり、後端縁が取付部１１の左右両端縁に連続している。各補強部１７は、支持部１３の左右両端縁に連続する下端縁と取付部１１の左右両端縁に連続する後端縁とが形成する角部が直角であり、下端縁の前端と後端縁の上端とを結んだ傾斜辺が形成された直角三角形状である。各補強部１７は、支持部１３に上方からの力がかかった場合、支持部１３の前端側が下方に垂れてしまうことを防止している。また、第１支持金具１０の支持部１３に上方からかかった力は、支持部１３の下面が受け部材５０の上面に当接しているため、受け部材５０によって支持されている。
【００２６】
第２支持金具２０は、図６に示すように、金属製の平板材で形成されている。この第２支持金具２０は、第１取付部２１、第２取付部２３、支持部２５、垂下部２７、及び一対の補強部２９を有している。第１取付部２１は、基礎７の屋内側の側面に固定された受け部材５０の上面に当接させた状態で、木ねじＮ２で受け部材５０の上面に複数個所で固定される。第１取付部２１は受け部材５０の上面に沿った方向に長い長方形状である。第２取付部２３は、第１取付部２１の前端縁に連続して鉛直下方に延び、受け部材５０の前面に当接させた状態で、木ねじＮ２で受け部材５０の前面に複数個所で固定される。第２取付部２３は上下方向よりも左右方向が長い長方形状である。
【００２７】
支持部２５は、第２取付部２３の下端部から前方に水平方向に延びた略正方形状である。このように、第２支持金具２０は、受け部材５０の上面を基準にして、受け部材５０の上面から所定の高さ分だけ低い位置に支持部２５が設けられる。垂下部２７は、支持部２５の先端を略直角に下方に折り曲げ、上下方向よりも左右方向が長い長方形状である。
【００２８】
一対の補強部２９は、支持部２５の左右両端縁に連続して立ち上がり、後端縁が第２取付部２３の前面に連続している。各補強部２９は、支持部２５の左右両端縁に連続する下端縁と第２取付部２３の前面に連続する後端縁とが形成する角部が直角であり、下端縁の前端と後端縁の上端とを結んだ傾斜辺が形成された直角三角形状である。各補強部２９は、支持部２５に上方からの力がかかった場合、支持部２５の前端側が下方に垂れてしまうことを防止している。また、第２支持金具２０の支持部２５に上方からかかった力は、第１取付部２１が受け部材５０の上面に当接しているため、受け部材５０によって支持されている。
【００２９】
このように、２個の第１支持金具１０及び１個の第２支持金具２０は、受け部材５０の上面を基準にして支持部１３，２５が取り付けられるため、受け部材５０をユニットバスのフロアレベルを基準として固定することによって、２個の第１支持金具１０の支持部１３及び第２支持金具２０の支持部２５を適切な高さに固定することができる。
【００３０】
また、２個の第１支持金具１０及び１個の第２支持金具２０は、図７，図１０、図１１に示すように、架台フレーム５の基礎７側で下方に延びている３本のボルト脚５Ｊに合わせて、受け部材５０に取り付けられる。つまり、２個の第１支持金具１０のうち、受け部材５０の中央部に取り付けられた第１支持金具１０は、洗い場載置部１Ａの外枠フレーム５Ａの浴槽載置部３Ａ側の長辺の基礎７側の端部に取り付けられたボルト脚５Ｊを支持するように受け部材５０に取り付けられる。また、受け部材５０の端部に取り付けられた第１支持金具１０は、洗い場載置部１Ａの第１フレーム５Ｂの基礎７側の端部に取り付けられたボルト脚５Ｊを支持するように受け部材５０に取り付けられる。第２支持金具２０は浴槽載置部３Ａの第４フレーム５Ｅの基礎７側の端部に取り付けられたボルト脚５Ｊを支持するように受け部材５０に取り付けられる。
【００３１】
浴室のリフォームの際、新しく取り付けられるユニットバスは、建築物に設けられた窓、扉などの位置に合わせたり、敷設されている配管を避けたりするため、基礎７に沿って水平方向に位置調整される。この場合、架台フレーム５のボルト脚５Ｊの位置もユニットバスの位置に合わせて変化することになるが、この支持部材Ｓは、第１支持金具１０及び第２支持金具２０が取り付けられる受け部材５０が基礎７に沿って長いため、第１支持金具１０及び第２支持金具２０をボルト脚５Ｊの位置に合わせて容易に取り付けることができる。
【００３２】
また、この支持部材Ｓは、第１支持金具１０及び第２支持金具２０が取り付けられる受け部材５０が基礎７に沿って長いため、第１支持金具１０の支持部１３及び第２支持金具２０の支持部２５に上方からかかった力は、受け部材５０に伝わりに、受け部材５０の全体に分散するため、応力が集中しない。
【００３３】
第３支持金具３０は、図８に示すように、第１取付部３１、第２取付部３３、支持部３５、及び一対の補強部３７を有している。第１取付部３１は大引き９の上面に当接させた状態で、木ねじＮ２で大引き９の上面に複数個所で固定される。第１取付部３１は大引き９の上面に沿った方向に長い長方形状である。第２取付部３３は、第１取付部３１の前端縁に連続して鉛直下方に延び、大引き９の前面に当接させた状態で、木ねじＮ２で大引き９の前面に複数個所で固定される。第２取付部３３は左右方向よりも上下方向が長い長方形状である。
【００３４】
支持部３５は、第２取付部３３の下端部から前方に水平方向に延び、左右方向よりも第２取付部３３から水平方向に延びている方向が長い長方形状である。一対の補強部３７は、支持部３５の左右両端縁に連続して立ち上がり、後端縁が第２取付部３３の左右両端縁に連続している。各補強部３７は、支持部３５の左右両端縁に連続する下端縁と第２取付部３３の左右両端縁に連続する後端縁とが形成する角部が直角であり、下端縁の前端と後端縁の上端とを結んだ傾斜辺が形成された直角三角形状である。各補強部３７は、支持部３５に上方からの力がかかった場合、支持部３５の前端側が下方に垂れてしまうことを防止している。
【００３５】
第３支持金具３０は、図９〜図１１に示すように、架台フレーム５の大引き９側で下方に延びている３本のボルト脚５Ｊを支持するように大引き９に取り付けられる。つまり、大引き９の所定の位置に取り付けられた３個の第３支持金具３０は、洗い場載置部１Ａの外枠フレーム５Ａの浴槽載置部３Ａ側の長辺の大引き９側の端部に取り付けられたボルト脚５Ｊ、洗い場載置部１Ａの第１フレーム５Ｂの大引き９側の端部に取り付けられたボルト脚５Ｊ、及び浴槽載置部３Ａの第４フレーム５Ｅの大引き９側の端部に取り付けられたボルト脚５Ｊを支持するように大引き９に取り付けられる。架台フレーム５は洗い場載置部１Ａの方が浴槽載置部３Ａよりも高い位置に形成されているため、洗い場載置部１Ａに取り付けられた２本のボルト脚５Ｊは、浴槽載置部３Ａに取り付けられたボルト脚５Ｊよりも長いものが使用される。
【００３６】
ユニットバスは、架台フレーム５が建築物の外壁躯体６を支持する基礎７と脱衣室の床８を支持する大引き９との間に吊り下げ状に支持されて配置された後、架台フレーム５の洗い場載置部１Ａの上に洗い場１が載置されて固定され、架台フレーム５の浴槽載置部３Ａの上に浴槽３が載置されて固定される。架台フレーム５は、洗い場載置部１Ａの各フレーム５Ａ，５Ｂ，５Ｃ，５Ｄを洗い場１と固定した状態で配置し、その後に浴槽載置部３Ａの各フレーム５Ｅ，５Ｆ，５Ｇと連結フレーム５Ｈで連結してもよい。
【００３７】
このように、実施例１のユニットバスの支持部材Ｓは、受け部材５０と、第１支持金具１０及び第２支持金具２０とを備えている。受け部材５０は建築物の外壁躯体６を支持する基礎７の屋内側の側面に固定される。第１支持金具１０及び第２支持金具２０は、受け部材５０に取り付けられ、架台フレーム５を介してユニットバスを構成する洗い場１及び浴槽３を支持する。
【００３８】
このユニットバスの支持部材Ｓは、建築物の外壁躯体６を支持する基礎７の屋内側の側面に受け部材５０を固定し、この受け部材５０にユニットバスを支持する第１支持金具１０及び第２支持金具２０を取り付けるため、浴室をリフォームする際、基礎７の上側に外壁躯体６が支持された状態（基礎７と外壁躯体６との間に土台がある場合もない場合も含む）のまま、第１支持金具１０及び第２支持金具２０を容易に固定することができる。また、浴室の床下が土である場合、この支持部材Ｓを利用してユニットバスを支持すれば、ユニットバスを支持するためにコンクリートを打設して養生させる必要がない。
【００３９】
したがって、実施例１のユニットバスの支持部材Ｓは浴室を手間なく短時間でリフォームすることができる。
【００４０】
また、このユニットバスの支持部材Ｓは、２個の第１支持金具１０及び１個の第２支持金具２０を適切な高さに容易に固定することができる。つまり、２個の第１支持金具１０及び１個の第２支持金具２０は、受け部材５０に取り付けられるため、受け部材５０に対して所定の位置に取り付けることによって、２個の第１支持金具１０及び１個の第２支持金具２０の夫々の取付け高さを容易に合わせることができる。このように、このユニットバスの支持部材Ｓは、受け部材５０を適切な高さに固定すれば、２個の第１支持金具１０及び１個の第２支持金具２０を適切な高さに容易に取り付けることができる。
【００４１】
また、受け部材５０は基礎７に沿った長さが架台フレーム５よりも長い。つまり、受け部材５０は、基礎７の屋内側の側面に固定された状態において、水平方向の長さが、受け部材５０に取り付けられた第１支持金具１０及び第２支持管具の左右幅よりも長い。このため、第１支持金具１０及び第２支持金具２０の取付位置を水平方向にずらすことができる。浴室のリフォームをする際、ユニットバスの設置位置は、建築物に設けられた窓、扉等の位置に合わせたり、敷設されている配管を避けたりする必要がある。この支持部材Ｓは、ユニットバスの設置位置に合わせて、第１支持金具１０及び第２支持金具２０の取付位置を水平方向に容易にずらすことができる。
【００４２】
また、受け部材５０は、基礎７の屋内側の側面に固定された状態において、基礎７の屋内側の側面に沿って水平方向に延びた上面を有している。第１支持金具１０は取付部１１と支持部１３とを有している。取付部１１は基礎７の屋内側の側面に固定された受け部材５０よりも上側に広がった基礎７の屋内側の側面に当接する。支持部１３は取付部１１の下端縁に連続し、受け部材５０の上面に当接して水平方向に延びている。このように、第１支持金具１０の支持部１３が受け部材５０の上面に当接しているため、支持部１３に加えられた荷重を受け部材５０が支持する。また、この支持部材Ｓは、第１支持金具１０の支持部１３が基礎７の屋内側の側面近傍（受け部材５０の上方）に位置しているため、基礎７の屋内側の側面近傍で洗い場１の外縁部を支持することができる。
【００４３】
また、受け部材５０は、基礎７の屋内側の側面に固定された状態において、基礎７の屋内側の側面に沿って水平方向に延びた上面と、上面の前端縁から鉛直下方向に広がった前面とを有している。第２支持金具２０は、第１取付部２１、第２取付部２３、及び支持部２５を有している。第１取付部２１は基礎７の屋内側の側面に固定された受け部材５０の上面に当接する。第２取付部２３は、第１取付部２１の前端縁に連続して鉛直下方に延び、受け部材５０の前面に当接する。支持部２５は、第２取付部２３から前方に水平方向に延びている。このように、第２支持金具２０の第１取付部２１が受け部材５０の上面に当接しているため、支持部２５に加えられた荷重を受け部材５０が支持する。また、第２支持金具２０は、受け部材５０の上面よりも低い位置に支持部２５が水平方向に延びているため、受け部材５０の上面よりも低い位置でユニットバスを支持することができる。
【００４４】
実施例１のユニットバスは建築物の外壁躯体６を支持する基礎７に沿って並んで配置された洗い場１と浴槽３とを備えている。
洗い場１は受け部材５０と第１支持金具１０とを備えた支持部材Ｓに支持されている。
受け部材５０は、基礎７の屋内側の側面に沿って水平方向に延びた上面と、上面の前端縁から鉛直下方に広がった前面とを有して基礎７の屋内側の側面に固定されている。
第１支持金具１０は取付部１１と支持部１３とを有している。取付部１１は基礎７の屋内側の側面に固定された受け部材５０よりも上側に広がった基礎７の屋内側の側面に当接している。支持部１３は、取付部１１の下端縁に連続し、受け部材５０の上面に当接して水平方向に延びている。
また、浴槽３は受け部材５０と第２支持金具２０とを備えた支持部材Ｓに支持されている。
第２支持金具２０は、第１取付部２１、第２取付部２３、及び支持部２５を有している。第１取付部２１は基礎７の屋内側の側面に固定された受け部材５０の上面に当接している。第２取付部２３は、第１取付部２１の前端縁に連続して鉛直下方に延び、受け部材５０の前面に当接している。支持部２５は、第２取付部２３から前方に水平方向に延びている。
洗い場１を支持する第１支持金具１０は、基礎７の屋内側の側面近傍においても洗い場１を支持することができる。このため、このユニットバスは、洗い場１の外周縁部が支持され、洗い場１を安定させることができる。また、浴槽３を支持する第２支持金具２０は、受け部材５０の上面よりも低い位置で支持部２５が水平方向に延びている。このため、このユニットバスは浴槽３の底部が洗い場１の底部よりも低くても浴槽３を安定して支持することができる。
【００４５】
本発明は上記記述及び図面によって説明した実施例に限定されるものではなく、例えば次のような実施例も本発明の技術的範囲に含まれる。
（１）実施例１では、受け部材の基礎に沿った長さが架台フレームよりも長かったが、架台フレームより短くてもよい。この場合、受け部材を複数に分けてもよい。
（２）受け部材は実施例１の形態に限らず他の形態であってもよい。
（３）実施例１では、２個の第１支持金具と１個の第２支持金具を受け部材に取り付けたが、ユニットバスの種類によって第１支持金具及び第２支持金具の数は変化してもよい。また、第１支持金具又は第２支持金具の一方の支持金具のみを利用してユニットバスを支持してもよい。
（４）第１支持金具及び第２支持金具は実施例１の形態に限らず他の形態であってもよい。
（５）実施形態１では、浴槽、洗い場とは別に架台フレームを備えていたが、架台フレームを備えず、直接、支持部材が浴槽、洗い場を支持してもよい。
（６）基礎の上側に土台、大引き、根太のどれが設置されてもよい。
【符号の説明】
【００４６】
１…洗い場
３…浴槽
６…外壁躯体
７…基礎
１０，２０…支持金具（１０…第１支持金具、２０…第２支持金具）
１１，２１，２３…取付部（２１…第１取付部、２３…第２取付部）
１３，２５…支持部
５０…受け部材
Ｓ…支持部材
【図１】
2018025028.tif 000003
【図２】
2018025028.tif 000004
【図３】
2018025028.tif 000005
【図４】
2018025028.tif 000006
【図５】
2018025028.tif 000007
【図６】
2018025028.tif 000008
【図７】
2018025028.tif 000009
【図８】
2018025028.tif 000010
【図９】
2018025028.tif 000011
【図１０】
2018025028.tif 000012
【図１１】
2018025028.tif 000013